(57)【要約】【課題】  ＳＤメモリカードと同じ大きさのＦＭチューナ内蔵ＳＤＩＯカードを提供する。【解決手段】  ＳＤメモリカードと同じ大きさのＳＤＩＯカード１０には、ＦＭチューナ部１１、ＦＭチューナ部１１から出力されるステレオ信号をデジタル信号に変換するＡＤＣ１２及びＳＤＩＯカードコントローラＬＳＩ１３が内蔵されている。携帯端末２０に該ＳＤＩＯカード１０を挿入すると、ヘッドフォン２５のコードをアンテナとして受信したＦＭ放送受信信号がＳＤバスを介して前記ＦＭチューナ部１１に入力される。ＦＭチューナ部１１からのステレオ信号は、ＡＤＣ１２でデジタル信号に変換された後ＳＤバスを介して携帯端末２０に入力され、ＤＡＣ２２を介してオーディオ回路２３から出力される。また、ＦＭチューナ部１１からのステレオ信号をアナログのままＳＤバスを介して携帯端末２０に供給することもできる。【選択図】  図１
2006025397.tif 000002
【特許請求の範囲】
【請求項１】
複数の信号線を介してホスト機器との間でデータを送受信するようになされたカード型機能媒体であって、
前記信号線のうちの一部の信号線を介して前記ホスト機器との間でアナログ信号を送信又は受信することができるようになされていることを特徴とするカード型機能媒体。
【請求項２】
複数の信号線を介してホスト機器との間でデータを送受信するようになされたカード型機能媒体であって、
ＦＭチューナ回路を内蔵しており、
該ＦＭチューナ回路に、前記複数の信号線のうちの一部の信号線を介して前記ホスト機器からＦＭ放送受信信号が供給されるようになされていることを特徴とするカード型機能媒体。
【請求項３】
複数の信号線を介してホスト機器との間でデータを送受信するようになされたカード型機能媒体であって、
ＦＭチューナ回路を内蔵しており、
前記複数の信号線のうちの一部の信号線を介して、前記ＦＭチューナ回路から出力されるオーディオ信号を前記ホスト機器に出力するようになされていることを特徴とするカード型機能媒体。
【請求項４】
前記ＦＭチューナ回路から出力されるアナログのオーディオ信号をデジタルデータに変換するＡ／Ｄ変換器を備え、該Ａ／Ｄ変換器によりデジタルデータに変換されたオーディオ信号を前記一部の信号線を介して前記ホスト機器に出力するようになされていることを特徴とする請求項３記載のカード型機能媒体。
【請求項５】
前記ＦＭチューナ回路から出力されるアナログのオーディオ信号をデジタルデータに変換することなく前記一部の信号線を介して前記ホスト機器に出力するようになされていることを特徴とする請求項３記載のカード型機能媒体。
【請求項６】
カード型機能媒体のソケットを有し、カード型機能媒体を挿入することができるようになされたホスト機器であって、
イヤホン又はヘッドフォンのコードからＦＭ放送受信信号を取り出す手段を有し、
ＦＭチューナ回路が内蔵されたカード型機能媒体が前記ソケットに挿入されたときに、前記ＦＭ放送受信信号を該ＦＭチューナ回路が内蔵されたカード型機能媒体に供給するようになされていることを特徴とするホスト機器。
【請求項７】
カード型機能媒体のソケットを有し、カード型機能媒体を挿入することができるようになされたホスト機器であって、
前記ソケットに挿入されたＦＭチューナ回路が内蔵されたカード型機能媒体から出力されるオーディオ信号を、該カード型機能媒体との間でデータを送受信する信号線のうちの一部の信号線を介してホスト機器内に取り込み、内蔵するオーディオ出力部に供給する手段を有することを特徴とするホスト機器。
【請求項８】
前記カード型機能媒体から出力されるオーディオ信号はデジタル化されており、前記ホスト機器は、該デジタル化されたオーディオ信号をＤ／Ａ変換するＤ／Ａ変換器を有することを特徴とする請求項７記載のホスト機器。
【請求項９】
前記カード型機能媒体から出力されるオーディオ信号はアナログ信号であり、前記ホスト機器は、前記一部の信号線に接続されたアナログスイッチを介して該アナログ信号を取り出すことを特徴とする請求項７記載のホスト機器。
【請求項１０】
カード型機能媒体のソケットを有するホスト機器と、前記ソケットに挿入されたカード型機能媒体とからなるＦＭ放送受信装置であって、
前記ホスト機器は少なくともオーディオ再生部とＦＭ放送信号受信部を有するものであり、
前記カード型機能媒体は少なくともＦＭチューナ部を有するものである
ことを特徴とするＦＭ放送受信装置。
【発明の詳細な説明】
【技術分野】
【０００１】
本発明は、ＳＤＩＯカードなどのカード型機能媒体、該カード型機能媒体を挿入することができるホスト機器及びカード型機能媒体とホスト機器からなるＦＭ放送受信装置に関する。
【背景技術】
【０００２】
フラッシュメモリを搭載した各種のメモリカードが提案され、さまざまな用途に使用されている。
このようなメモリカードの一種としてＳＤ（Secure Digital）メモリカードが知られている。ＳＤメモリカードは、ＳＤカードアソシエーション（http://www.sdcard.org/）により規格化されている、横24mm×縦32mm×厚さ2.1mmの外形寸法を有した小型のカード型記録媒体である。
ＳＤメモリカードは、ＰＣカードなどの他のカード型記録媒体と比較して小型であるため、携帯電話などの携帯端末に好適であり、近年、ＳＤメモリカードを挿入することのできるスロットを設けた携帯電話が開発されている。携帯電話にＳＤメモリカードを挿入することにより、静止画や動画などの画像データや音楽データなどの多くのデータをＳＤメモリカードに保存することが可能となり、パソコンなどの他の機器との間で情報の共有が可能となる。
【０００３】
図１０は、ＳＤメモリカードを挿入することができる携帯電話の外観を示す図であり、（ａ）は正面から見た図、（ｂ）は側面から見た図である。
この図において、１００は携帯電話本体、１０１はアンテナ、１０２は表示部、１０３は通話用レシーバ、１０４はキー操作部、１０５は通話用マイク、１０６はヘッドフォンジャック、１０７はＳＤメモリカードスロット、１０８はＳＤメモリカードスロットの蓋、１１０はＳＤメモリカードである。
図示するように、携帯電話１００には、その内部にＳＤメモリカードソケットが設けられたＳＤメモリカードスロット１０７が設けられており、ＳＤメモリカード１１０を該スロット１０７に挿入して、蓋１０８を閉じることにより、ＳＤメモリカード１１０を携帯電話本体１００内に完全に収納することができるようになされている。
【０００４】
また、ＳＤメモリカードをインターフェース用途に拡張したＳＤＩＯ（Secure Digital Input/Output）カード規格が策定されている。ＳＤＩＯカードの物理規格は、前述したＳＤメモリカードの物理規格を拡張したもので、ＳＤメモリカードとソケットを共用することができるようになされている（非特許文献１，２）。例えば、Bluetooth(TM)やカメラ、ＧＰＳ（Global Positioning System）などを内蔵したＳＤＩＯカードが提案されている（特許文献１，２、非特許文献２）。
【０００５】
近年、携帯情報端末（ＰＤＡ：Personal Digital Assistance）などの情報端末において、前述したＳＤＩＯカードを利用可能にするため、ＳＤＩＯカードのソケットと、ＳＤＩＯカードを動作させるためのドライバ機能を実装できるものが市販されている。
これらＳＤＩＯカードのホスト機器に、該ＳＤＩＯカードを挿入することにより、ホスト機器の機能を拡張することができる。
【０００６】
以上のように、ＳＤＩＯカードなどの外部機器によればホスト機器に対し種々の機能を追加することができる。これにより、ホスト機器では、様々な用途を実現することができる。この種の外部機器を、本発明ではカード型機能媒体と呼ぶこととする。
また、前述の通り、ＳＤメモリカードとＳＤＩＯカードは電気的且つ物理的に共通化した規格を有しているため、説明の便宜上、ＳＤカードと呼ぶこととする。
【非特許文献１】インターフェース、ＣＱ出版、2003年11月号、p.169-174
【非特許文献２】Matsushita Technical Journal、松下電器産業株式会社、第48巻第2号、2002年4月18日発行、p.20-23
【特許文献１】特開２００１−１９５５５３号公報
【特許文献２】特開２００３−１６７６５７号公報
【発明の開示】
【発明が解決しようとする課題】
【０００７】
現在ＳＤＩＯカードを動作可能とする携帯電話の開発を進めているが、今まで提案されている各種ＳＤＩＯカードは、いずれも、ＳＤメモリカードよりも縦の寸法が長くなっており、前記図１０に示したような携帯電話に設けられたＳＤカードスロットに挿入したときに、携帯電話の筐体からその一部が突出してしまい、カードスロットの蓋を閉めることができず、非常に使いにくいものとなってしまう。
例えば、ＦＭラジオを搭載したＳＤＩＯカードを携帯電話に挿入して携帯電話にＦＭ放送を受信する機能を付加するとしても、ＳＤＩＯカードの一部が携帯電話から突出することなり、非常に使いにくいものとなる。
【０００８】
ＦＭラジオを搭載したＳＤＩＯカードが携帯電話から突出する理由としては、以下の二点が挙げられる。
一点目は、ＳＤＩＯカード上にＦＭラジオそのものを構成するため、ＦＭラジオを聴取するためのオーディオ回路が必要となる。しかし、例えばスピーカそのものを該ＳＤＩＯカードに実装することは、寸法の制約や消費電力の点で合理性が確保できない。そこで、従来にみられる方法ではヘッドフォンやイヤホンを接続し、聴取する形態とされている。したがって、該ヘッドフォンやイヤホンを接続するためのヘッドフォンジャックをＳＤＩＯカードに搭載する必要があり、この結果、カードソケットより突出せざるを得なかった。
二点目は、ＳＤＩＯカード上にＦＭラジオそのものを構成するため、ＦＭ放送受信信号を受信するための受信アンテナを構成しなければならないが、ＦＭ放送の無線周波数の波長からみて、ＳＤＩＯカード上に受信アンテナ長を確保することは物理的に困難である。したがって、従来にみられる方法によれば、ヘッドフォンのコード長をアンテナとして機能させており、該ＦＭラジオを搭載したＳＤＩＯカードに該ヘッドフォンジャックを実装しなければ、ＦＭ放送受信信号を取得することができず、結果としてヘッドフォンジャックを実装せざるを得なかった。
【０００９】
ところで、ＳＤＩＯカードのホスト機器である携帯電話は、従来から、後述するスピーカと、ヘッドフォンジャックとを備えている。
ここで前記スピーカは、主に着信音の鳴動時に該着信音を出力することを目的としており、前記ヘッドフォンジャックは、通話中の発信者の音声を聴取するためのヘッドフォンを接続することを目的としている。
【００１０】
なお、近年においては携帯電話の高機能化により、該携帯電話のメモリに録音した楽曲を、前記スピーカや接続したヘッドフォンで聴取することができるようになっている。
以上のような楽曲を再生できる携帯電話において、ＦＭラジオが搭載されたＳＤＩＯカードを接続した場合、該ＳＤＩＯカードに搭載されたヘッドフォンジャックにヘッドフォンを接続することで、ＦＭ放送を聴取することも可能だが、前述の通りＳＤＩＯカードが突出することによる利便性の欠如とともに、ヘッドフォンジャックが携帯電話本体と合わせ、物理的に二つ存在することとなり、機器構成上、無駄となる。
さらには、携帯電話に備わる楽曲再生回路と、ＦＭラジオ搭載のＳＤＩＯカードに備わるオーディオ回路において、共有可能な回路があるにも拘らず物理的に二つ存在することとなり、機構上、無駄となる。
【００１１】
上記機構上の問題は、携帯電話の消費電力の浪費にも影響する。すなわち、一般的にオーディオ回路はパワーアンプを有しており、１００ｍＷ程度の電力を消費する。ゆえに、ＦＭラジオを構成すると、付加回路等の消費もあわせて、その動作電力は概ね１５０ｍＷ程度となる。
これに対し携帯電話は、ユーザーの定常使用状態において、概ね１００〜２００ｍＷ（ユーザーの使用状態によっては、これに限られない。）で動作するように設計しているため、ＦＭラジオ搭載のＳＤＩＯカードをそのまま携帯電話で利用すれば、電力消費が２倍以上となり、蓄電池の電池容量の消費が進み、その結果、電池がもたないといった事情に繋がる。従って、オーディオ回路のような電力消費の大きい回路を安易に増やすことは、携帯性を求められる情報端末には不都合である。
【００１２】
以上のことから本発明は、携帯電話のようなＳＤＩＯカードのホスト機器にＦＭチューナ内蔵のＳＤＩＯカードを挿入することにより等価的にＦＭラジオを構成する場合において、該ＳＤＩＯカードが突出することなく、かつ共通に利用できる回路を共有化して、より利便性のあるＦＭラジオを実現することができるカード型機能媒体、カード型機能媒体対応のホスト機器及びＦＭ放送受信装置を提供することを目的としている。
また、本発明は、前記ＦＭラジオを構成する上で、ＦＭ放送信号の受信機能は前記ホスト機器に備え、前記ＳＤＩＯカードには、受信したＦＭ放送をオーディオ信号に復調する機能を備え、該復調されたオーディオ信号は、該ホスト機器で出力するために、該ＦＭ放送受信信号とオーディオ信号を、前記ホスト機器と前記ＳＤＩＯカードの間で送受するための、接続点におけるアナログ信号の処理を実現することのできるカード型機能媒体、カード型機能媒体対応のホスト機器及びＦＭ放送受信装置を提供することを目的としている。
【課題を解決するための手段】
【００１３】
上記目的を達成するために、本発明のカード型機能媒体は、複数の信号線を介してホスト機器との間でデータを送受信するようになされたカード型機能媒体であって、前記信号線のうちの一部の信号線を介して前記ホスト機器との間でアナログ信号を送信又は受信することができるようになされているものである。
また、本発明の他のカード型機能媒体は、複数の信号線を介してホスト機器との間でデータを送受信するようになされたカード型機能媒体であって、ＦＭチューナ回路を内蔵しており、該ＦＭチューナ回路に、前記複数の信号線のうちの一部の信号線を介して前記ホスト機器からＦＭ放送受信信号が供給されるようになされているものである。
さらにまた、本発明のさらに他のカード型機能媒体は、複数の信号線を介してホスト機器との間でデータを送受信するようになされたカード型機能媒体であって、ＦＭチューナ回路を内蔵しており、前記複数の信号線のうちの一部の信号線を介して、前記ＦＭチューナ回路から出力されるオーディオ信号を前記ホスト機器に出力するようになされているものである。
そして、前記ＦＭチューナ回路から出力されるアナログのオーディオ信号をデジタルデータに変換するＡ／Ｄ変換器を備え、該Ａ／Ｄ変換器によりデジタルデータに変換されたオーディオ信号を前記一部の信号線を介して前記ホスト機器に出力するようになされているもの、あるいは、前記ＦＭチューナ回路から出力されるアナログのオーディオ信号をデジタルデータに変換することなく前記一部の信号線を介して前記ホスト機器に出力するようになされているものである。
【００１４】
さらにまた、本発明のホスト機器は、カード型記録媒体用のソケットを有し、カード型機能媒体を挿入することができるようになされたホスト機器であって、イヤホン又はヘッドフォンのコードからＦＭ放送受信信号を取り出す手段を有し、ＦＭチューナ回路が内蔵されたカード型機能媒体が前記ソケットに挿入されたときに、前記ＦＭ放送受信信号を該ＦＭチューナ回路が内蔵されたカード型機能媒体に供給するようになされているものである。
さらにまた、本発明の他のホスト機器は、カード型記録媒体のソケットを有し、カード型機能媒体を挿入ことができるようになされた携帯端末であって、前記ソケットに挿入されたＦＭチューナ回路が内蔵されたカード型機能媒体から出力されるオーディオ信号を、該カード型機能媒体との間でデータを送受信する信号線のうちの一部の信号線を介してホスト機器内に取り込み、内蔵するオーディオ出力部に供給する手段を有するものである。
そして、前記カード型機能媒体から出力されるオーディオ信号はデジタル化されており、前記ホスト機器は、該デジタル化されたオーディオ信号をＤ／Ａ変換するＤ／Ａ変換器を有しているか、あるいは、前記カード型機能媒体から出力されるオーディオ信号はアナログ信号であり、前記ホスト機器は、前記一部の信号線に接続されたアナログスイッチを介して該アナログ信号を取り出すようになされているものである。
【００１５】
さらにまた、本発明のＦＭ放送受信装置は、カード型機能媒体のソケットを有するホスト機器と、前記ソケットに挿入されたカード型機能媒体とからなるＦＭ放送受信装置であって、前記ホスト機器は少なくともオーディオ再生部とＦＭ放送信号受信部を有するものであり、前記カード型機能媒体は少なくともＦＭチューナ部を有するものである。
【発明の効果】
【００１６】
本発明のカード型機能媒体によれば、携帯端末などのホスト機器との間で、既存の端子を用いてアナログ信号を伝送することが可能となる。
また、本発明のホスト機器によれば、ＦＭチューナを内蔵したカード型機能媒体にＦＭ放送受信信号を供給するとともに、該ＦＭチューナを内蔵したカード型機能媒体から出力されるオーディオ信号を、携帯端末に内蔵しているオーディオ出力回路を兼用して出力することができる。したがって、カード型機能媒体にアンテナやオーディオ出力回路を内蔵させる必要がなく、従来のＳＤメモリカードと同一のサイズのまま、ＦＭチューナを内蔵したカード型機能媒体を実現することができる。したがって、該カード型機能媒体をホスト機器に挿入してもホスト機器から突出する部分をなくすことができる。
さらに、本発明のＦＭ放送受信装置によれば、オーディオ回路を重複して構成せずに済み、消費電力の浪費を増やすことなく、前記ＦＭチューナを内蔵したカード型機能媒体と、該カード型機能媒体のホスト機器で構成するＦＭ放送受信装置を実現することができる。
【発明を実施するための最良の形態】
【００１７】
本発明は、ＳＤＩＯカードに限らず、他のカード型機能媒体にも適用することができるが、以下では、ＳＤＩＯカードに適用した実施の形態について説明する。また、該ＳＤＩＯカードが挿入されるホスト機器も携帯電話などの携帯端末に限られることはないが、ここでは携帯端末であるものとして説明する。
【００１８】
まず、本発明のカード型機能媒体及びホスト機器の第一の実施の形態について説明する。
図１は、本発明の第一の実施の形態におけるＦＭチューナを内蔵したＳＤＩＯカードと、該ＳＤＩＯカードが挿入される携帯端末の概念図である。
図１において、１０は本発明のＳＤＩＯカードであり、ＦＭチューナＬＳＩを含むＦＭチューナモジュール（ＦＭチューナ部）１１、ＦＭチューナ部１１から出力されるオーディオ信号（ＬとＲのステレオ信号。以下、Ｌ／Ｒオーディオ信号という。）をデジタルデータに変換するＡ／Ｄ変換器（ＡＤＣ）１２、及びホスト機器である携帯端末２０とのインターフェースを制御するＳＤＩＯカードコントローラＬＳＩ１３が設けられている。
【００１９】
また、携帯端末２０には、前記ＳＤＩＯカード１０とのインターフェースを制御するＳＤＩＯホストコントローラＬＳＩ２１、前記ＳＤＩＯカード１０からのデジタル化されたＬ／Ｒオーディオ信号をアナログ信号に変換するＤ／Ａ変換器（ＤＡＣ）２２、ＤＡＣ２２から出力されるオーディオ信号を増幅するオーディオ回路２３、ヘッドフォン（又はイヤホン。以下ヘッドフォンとして呼ぶ。）を接続するヘッドフォンジャック２４が設けられており、前記ヘッドフォンジャック２４にはヘッドフォン２５が接続され、前記オーディオ回路２３の出力が供給されるようになされている。
ここで、本発明においては、前記ヘッドフォン２５のケーブル（コード）を、ＦＭ放送を受信するためのアンテナとして使用するようにしており、前記ヘッドフォンジャック２４にＦＭ放送受信信号を取得する配線２６が接続され、該配線２６を介して前記ＳＤＩＯカード１０にＦＭ放送受信信号を供給するように構成している。
【００２０】
次に、本発明に係るＦＭチューナを内蔵したＳＤＩＯカードの物理構成の一例について、図２を参照し説明する。
前記ＦＭチューナ部１１は、主にＦＭチューナＬＳＩで構成されており、該ＦＭチューナＬＳＩは、例えば、縦6mm×横6mm×厚さ0.9mmのモールドパッケージで構成される。また、前記ＳＤＩＯカードコントローラＬＳＩ１３も、縦6mm×横6mm×厚さ0.9mmのモールドパッケージで構成される。さらに、ＡＤＣ１２は、縦6mm×横5mm×厚さ1mmのモールドパッケージであり、これら各素子が厚さ0.3mmの基板（例えば、ガラスエポキシ樹脂製）に実装されている。
なお、オプションとして縦6mm、横8mm、高さ1mm程度の実装スペースを設けており、主にここへはフラッシュメモリ１４を実装する。
また、前述の基板においては、各素子の実装面の反対面、すなわち裏面の端部に９つの接触接点を設けており、この接触面がホスト機器に設けられたカードソケットとの物理インターフェースを構成している。
以上のアッセンブリ回路をプラスチックカバーでパッキングしたものが、本発明のＳＤＩＯカードである。このように、本発明のＳＤＩＯカードは、ＳＤメモリカードと同一の外径寸法（横24mm×縦32mm×厚さ2.1mm）とされている。
【００２１】
次に、本発明に係るＦＭチューナを内蔵したＳＤＩＯカードの機能構成について、図３を参照し説明する。
図３において、前記ＳＤＩＯカード１０の内部に、前記ＦＭチューナ部１１、前記ＡＤＣ１２、前記ＳＤＩＯカードコントローラＬＳＩ１３、及び前記フラッシュメモリ１４の各機能ブロックが示されている。また、３１〜３９はホスト機器とのインターフェース接点である接点端子であり、４８はＦＭ放送の周波数帯域を通過させるバンドパスフィルタである。
ＦＭチューナ部１１には、ＦＭ放送受信信号を所定のレベルにまで増幅するＲＦ増幅部４１、増幅したＲＦ信号を中間周波（ＩＦ）信号に周波数変換する周波数変換部４２、変換したＩＦ信号を所定のレベルにまで増幅するＩＦ増幅部４４、増幅したＩＦ信号をＦＭ復調するＦＭ復調部４５、及び復調したＦＭ信号をＬとＲのステレオ信号にデコードするステレオデコード部４６が実装されている。また、外部からの指示により希望の放送チャンネルに同調するための同調制御部４３と、該同調制御部４３へのコントロール指示、外部からの制御信号の受信、及びＦＭチューナ部１１の状態を外部へ通知するインターフェース部４７が設けられている。
これにより、ＦＭチューナ部１１においては入力されたＦＭ放送受信信号をＬ／Ｒオーディオ信号に復調し、外部に出力することができる。
【００２２】
ＡＤＣ１２は、前記ステレオデコード部４６から出力されるアナログのＬ／Ｒオーディオ信号を、所定周波数（例えば、44.1KHz，48KHz，64KHzなど）のサンプリング信号によりサンプリングし、所定のビット数（例えば、８ビット）で量子化を行い、デジタルデータに変換するものである。
ＳＤＩＯカードコントローラＬＳＩ１３は、該ＳＤＩＯカード１０とホスト機器とのインターフェースを行なうもので、制御データや実データの授受における各種機能制御を行なう制御部５１、ホスト機器側ＳＤＩＯインターフェースとのインターフェース整合をとるためのＳＤＩＯインターフェース５２、前記データ授受時、バッファリングを要する際に用いるバッファ５３、フラッシュメモリと接続するためのメモリインターフェース５４、及び前述のＦＭチューナ部１１と接続するためのＦＭチューナインターフェース５５を有しており、これらはバス配線で接続されている。
なお、前記ＦＭチューナ部１１のインターフェース部４７と該ＳＤＩＯカードコントローラＬＳＩ１３のＦＭチューナインターフェース５５は、シリアルバスインターフェースの制御機能を有しており、転送される制御信号及びデータ信号によって、制御を実行している。
また、ＳＤＩＯインターフェース５２と接点端子３１〜３９とは、基板上のパターン配線で各々接続されている。
【００２３】
続いて、本発明に係るＦＭチューナを内蔵したＳＤＩＯカードの外部インターフェースについて説明する。
説明に際して、はじめに、従来例であるＳＤＩＯカード規格について、図４を参照し概略的に説明する。ここで、図４において＃１〜＃９はピン番号を示すものであり、それぞれ図３の接点端子３１〜３９に、昇順に対応するものである。
図４は、従来例であるＳＤＩＯ規格による、ＳＤＩＯカードのバスモードを示したインターフェース・ピンアサインと、本発明のピンアサインを対比した表である。ここで図４では、前記ＳＤＩＯカード規格について代表的な２種類を列挙しており、これらはＳＤ１ビットモード、およびＳＤ４ビットモードと呼ばれるものである。
【００２４】
まず、ＳＤ１ビットモードについて説明する。
ＳＤ１ビットモードは、もっとも標準的なバスモードであり、このモードの特徴としては、データラインが１系統であり、シリアルなデータ転送を主な目的とするものである。
なお通常、ＳＤＩＯカードのドライブモードは、該ＳＤ１ビットモードである。
このデータラインは、図４においては＃７（ＤＡＴＡ）ピンで示されるものである。このデータバスの転送速度は、最高２５Ｍｂｐｓである。この他、ホスト機器への割り込み要求を送出する＃８（ＩＲＱ）ピン、及びＳＤＩＯカードからのデータ出力に対するホスト機器からの待機指示を入力するための＃９（ＲＷ）ピンが設けてあり、これらにより、柔軟なＳＤＩＯカードコントロールを実現することができる。
【００２５】
次に、ＳＤ４ビットモードは、ＳＤ１ビットモードに対してデータラインが４系統設定されており、それぞれ＃１、＃７、＃８、＃９ピンに割り当てられている。
このとき、標準ピンは＃７（ＤＡＴ[０]）ピンであり、＃８（ＤＡＴ[１]）、＃９（ＤＡＴ[２]）はオプションとして利用するものである。また、＃１（ＣＤ／ＤＡＴ[３]）ピンは、＃７ピン同様、データラインとして設定されたものであるが、ＳＤＩＯカードがホスト機器に挿入された場合の検出用（Card Detect）に割り当てることも可能なように規格されているため、準標準的なデータラインとして利用するものである。
このモードの特徴は、これら４系統のデータラインをパラレル使用することにより、最大４ビットのパラレルデータ転送が可能となり、この結果、最大１００Ｍｂｐｓのデータ転送を実現することが可能なことである。
この他、前述のＳＤＩＯカード規格において、＃２はＳＤＩＯカードとホスト機器との間で授受する制御コマンドを送受するピン、＃３及び＃６はグランドピン、＃４はＳＤＩＯカードの動作電圧供給ピン、及び＃５はクロック供給ピンとして割り当てられている。この場合において、前記ＳＤ１ビットモード、ＳＤ４ビットモードいずれにおいても、＃２〜＃６ピンの用途は共通している。
【００２６】
次に、本発明に係るＦＭチューナを内蔵したＳＤＩＯカードにおけるピンアサインを、図４を参照し説明する。なお前述の通り、本発明における＃２〜＃６ピンの用途は、前記各モードと同じであるため、＃２〜＃６ピンに関する説明は割愛する。
本発明のＳＤＩＯカードにおいては、＃１ピンにはホスト機器から入力されるＦＭ放送受信信号の入力を、＃８ピンにＬのオーディオ信号、＃９ピンにＲのオーディオ信号を前記ホスト機器へ出力するための出力ピンとして割り当てている。
ここで、前述の各バスモードと本発明に係るＳＤＩＯインターフェースのピンアサインを比較し、その整合を説明する。なお前述の通り、ＳＤ１ビットモード、ＳＤ４ビットモードいずれにおいても、＃２〜＃６ピンの用途は同じであるため、＃２〜＃６に関する説明は割愛する。
【００２７】
まずＳＤ１ビットモードと対比する。
ＳＤ１ビットモードの場合、＃１ピンは未使用（Ｎ／Ｃ）で定義されるため、ＳＤＩＯ規格以外での利用が可能である。これに対して本発明はＦＭ放送受信信号の授受に割り当てている。
また、＃７ピンは、ホスト機器とＳＤＩＯカードとのデータ授受に供されるものであるが、本発明ではコマンド指示によるデータ授受（例えば、設定状態の通知など）に割り当てている。
＃８ピンは、ＳＤＩＯカードがホスト機器へ割り込み要求を行う場合に使用するものであるが、本発明のＦＭチューナ内蔵ＳＤＩＯカードでは、ＦＭ放送の復調を主たる目的とするものであり、割り込み要求を行なう機能を必要としていない。また、割り込み要求の一例として、オーディオ信号出力の一時停止（ミュート機能）が挙げられるが、該ミュート機能を実現するミュート制御は、ホスト機器である携帯端末側で実現可能であるため、実質的に空きとすることができる。そこで本発明では、＃８ピンにデジタルオーディオ信号（Ｌ）を割り当てている。
＃９ピンは、ホスト機器からＳＤＩＯカードへデータ書き出し要求を一時的に中止する（すなわち、リードウェイト）場合に使用されるピンである。これに対し本発明では、＃２ピンを使用したホスト機器からのコマンド制御による処理調整が可能なので、リードウェイトピンの用途が生じない。ゆえに本発明では、該＃９ピンを他の用途に割り当てることが可能であり、よってデジタルオーディオ信号（Ｒ）を割り当てている。
【００２８】
次にＳＤ４ビットモードの場合について説明する。
ＳＤ４ビットモードにおける＃１ピンは、第４のデータライン（データライン[３]）として規格化されている。これに対し本発明では、実質的なデータ授受は＃７ピンで必要充分であるため、＃１ピンに用途が及ばない。ゆえに、本発明はＦＭ放送受信信号の授受に割り当てる。
また、＃８及び＃９はＳＤＩＯ規格上、第２（データライン[１]）、及び第３のデータライン（データライン[２]）に用いるが、オプション指定が可能であり、設定によっては規格上空き指定が可能である。これに対し、本発明では、前述の通り、デジタルオーディオ信号（Ｌ）及び（Ｒ）を割り当てている。
以上のことから、ＳＤＩＯインターフェースのモードがＳＤ１ビットモードでも、ＳＤ４ビットモードでも、各ピンに割り当てる機能は同一となり、いずれのバスモードでも該ＦＭチューナ内蔵ＳＤＩＯカードが利用可能であることがわかる。
このように、本発明のＳＤＩＯカードは、ＳＤＩＯインターフェースの規格に準拠した仕様に基づき、実現されている。
【００２９】
次に、本発明に係るＦＭチューナを内蔵したＳＤＩＯカードの動作を、前記図３を参照し説明する。
前記ホスト機器より＃１ピンから入力されたＦＭ放送受信信号は、前記バンドパスフィルタ４８によりＦＭ放送の周波数帯域（例えば、65MHz〜108MHz）に帯域制限された後、前記ＦＭチューナ部１１のＲＦ増幅部４１に入力される。
入力されたＦＭ放送受信信号は、各機能部を用いて前述のように復調された後、アナログのＬ／Ｒオーディオ信号にデコードされ、該ＦＭチューナ部１１より出力される。
出力された前記アナログＬ／Ｒオーディオ信号は、前記ＡＤＣ１２により前述のデジタル変換処理した後、前記ＳＤＩＯカードコントローラＬＳＩ１３のＦＭチューナインターフェース５５に入力される。
前記ＳＤＩＯカードコントローラＬＳＩ１３においては、前記ＦＭチューナインターフェース５５に入力されたデジタルＬ／Ｒオーディオ信号が、前記制御部５１の制御により、前記バッファ５３に一時的に格納される。
以下同様に、入力されてくるデジタルＬ／Ｒオーディオ信号を、該バッファ５３に順次書き込んでいき、許容される容量に達するまで書き込みを実行する。
このとき前記ホスト機器からは、後述するように、前記バッファ５３に一時記録したデジタルＬ／Ｒオーディオ信号の該ホスト機器への書き出しを指示するポーリング信号が、所定の時間間隔で前記制御部５１に与えられている。このポーリング信号のタイミングに従って、該制御部５１は、所定の制御動作を実行し、前記バッファ５３に一時保存されたデジタルオーディオ信号を、前記ＳＤＩＯインターフェース５２を介してホスト機器に出力する。すなわち、前記＃８ピンと＃９ピンを介してＬ／Ｒのデジタルオーディオ信号をホスト機器に出力する。
以上の動作を連続して行なうことにより、ホスト機器から与えられたＦＭ放送受信信号をデジタル化したＬ／Ｒオーディオ信号として、前記ホスト機器に出力する動作を実行することができる。
【００３０】
次に、本発明に係るホスト機器の一実施の形態である携帯端末２０の機能構成及び動作について、図５を参照し説明する。
該携帯端末２０の構成を説明するにあたっては、携帯端末の主たる機能である電話機能部分と、本発明に係るＦＭ放送信号受信部及びオーディオ再生部の部分とに分けて説明する。まず、電話機能部分について、概略的に説明する。
図５において、携帯端末２０の電話機能部分は、携帯端末２０の主制御部であるメインプロセッサ部６０、移動通信網の無線受信アンテナ６１、移動通信網との通信を行う無線送受信部６２、表示部６３、テンキーなどの操作部６４、通話用レシーバ６５、通話用マイク６６、メモリ６８、着信音鳴動のための音源ＬＳＩ６９、及び該着信音を外部出力するためのスピーカ７０で構成されている。
ここで、前記メインプロセッサ部６０は、中央演算処理部（ＣＰＵ）７１、音声／画像処理部（ＤＳＰ）７２、ＣＰＵバスインターフェース７３、ＤＡＣ７４、及びワークメモリ７５で構成されている。
また、前記音源ＬＳＩ６９は、前記メインプロセッサ部６０における音声制御部と接続するためのインターフェース７６、音源データに基づいて楽音を発生し、所定のエフェクトを付与してＬ／Ｒステレオオーディオ信号を出力するシンセサイザ７７、シンセサイザ７７の出力をアナログ信号に変換するＤＡＣ７８、及び該ＤＡＣ７８と他のオーディオ信号とを混合出力するためのオーディオミキサ７９で構成されている。
また、前記音源ＬＳＩ６９より復号された楽曲コンテンツを聴取するために接続するヘッドフォン８０、及び該ヘッドフォン８０を接続するヘッドフォンジャック８１も、該携帯端末２０の電話機能部分を構成している。
以上の構成により、該携帯端末２０では、前記移動通信網と通信をすることができるとともに、音声通信や、データ通信、配信データの受信と視聴、及び楽曲や画像などのコンテンツ視聴を行うことができる。
なおここで、前記ヘッドフォン８０は図１のヘッドフォン２５と、前記ヘッドフォンジャック８１は図１のヘッドフォンジャック２４と同じものである。
【００３１】
続いて、本発明に係るＦＭ放送信号受信部及びオーディオ再生部について説明する。
ＦＭ放送信号受信部は、前記ヘッドフォン８０、ヘッドフォンジャック８１、バンドバスフィルタ（またはハイパスフィルタ。以下、バンドパスフィルタに集約して呼ぶ。）８２、前記配線２６、高周波信号の導通・遮断を制御するスイッチ８３で構成される。
オーディオ再生部は、ＳＤカードソケット８４、前記ＳＤＩＯホストコントローラＬＳＩ２１、前記ＣＰＵバスインターフェース７３、前記ＣＰＵ７１、前記メモリ６８、前記ＤＡＣ７４、切替増幅部８５、前記オーディオミキサ７９、前記スピーカ７０、前記ヘッドフォンジャック８１、及び前記ヘッドフォン８０で構成する。
なお、前記切替制御部８５は図１におけるオーディオ回路２３に、前記ＤＡＣ７４は図１におけるＤＡＣ２２にそれぞれ対応する。
【００３２】
続いて、本発明に係るＦＭ放送信号受信部及びオーディオ再生部における各構成の機能について説明する。
前記ヘッドフォン８０は、前記ＦＭチューナ内蔵ＳＤＩＯカード１０で復調したＦＭ放送を聴取するスピーカとして機能をするとともに、本発明では、そのコードがＦＭ放送受信用のアンテナとして作用する。
ヘッドフォンジャック８１は、前記ヘッドフォン８０を該携帯端末２０に接続するためのインターフェースであり、アナログ端子である。
配線２６は、前記ヘッドフォン８０のコードで受信されたＦＭ放送受信信号を前記ＦＭチューナ内蔵のＳＤＩＯカード１０に供給するための配線である。
高周波スイッチ８３は、前記配線２６で導通するＦＭ放送受信信号をオン／オフするための高周波信号（ＦＭ放送の周波数帯域の信号）を導通制御することができるスイッチである。
【００３３】
ＳＤカードソケット８４は、前記ＳＤＩＯカード１０のインターフェースであり、該ソケット８４に前記ＳＤＩＯカード１０を挿入することにより、前記携帯端末２０に接続することができる。
ＳＤＩＯホストコントローラＬＳＩ２１は、前記ＳＤＩＯカード１０のＳＤＩＯインターフェース５２と、ＣＰＵバスインターフェース７３のインターフェース機能を有するものである。
ＣＰＵ７１は、該携帯端末２０と前記ＳＤＩＯカード１０との各データ授受及びこれらの制御、疎通する各種データの処理等を行なうためのものである。
メモリ６８は前記ＳＤＩＯカード１０より出力されたデジタルＬ／Ｒオーディオ信号を一時的または永続的に保存する機能を有している。
ＤＡＣ７４は、前記ＳＤＩＯカード１０より出力されたデジタルＬ／Ｒオーディオ信号をデジタル／アナログ変換し、アナログＬ／Ｒオーディオ信号に復号するためのものである。
切替増幅部８５は前記アナログＬ／Ｒオーディオ信号を所定のレベルに増幅する機能と、増幅したＬ／Ｒオーディオ信号の出力先を切り替える機能を有している。
オーディオミキサ７９は、前述の音源ＬＳＩ６９の音源出力とスピーカ７０の間に設けられ、前記切替増幅部８５からのＦＭ放送オーディオ信号を前記スピーカ７０に出力する際に使用するものである。
【００３４】
続いて、これらＦＭ放送信号受信部及びオーディオ再生部の動作について説明する。
前記ヘッドフォン８０のコードで受信されたＦＭ放送受信信号は、該携帯端末２０に入力され、ヘッドフォンジャック８１を通じてバンドパスフィルタ８２に与えられ、所定のＦＭ受信帯域（例えば、65MHz〜108MHz）に帯域制限される。そして、前記配線２６と前記高周波スイッチ８３を介して前記ＳＤカードソケット８４の接続端子に接続される。その際、後述するタイミングで高周波スイッチ８３がオンとなり、該ＦＭ放送受信信号の導通が開始される。
前記ＦＭ放送受信信号は、前記高周波スイッチ８３がオンとなったとき、前述したＳＤＩＯカード１０の＃１ピンを介して前記ＦＭチューナ部１１に供給される。前記ＦＭチューナ部１１から出力されるＬ／Ｒオーディオ信号はＡＤＣ１２においてデジタル信号に変換され、前述したように、前記＃８、＃９ピンを介して該携帯端末２０のＳＤカードソケット８４の接続端子に供給される。なお、供給のタイミング、速度等については後述する。
【００３５】
前記ＳＤカードソケット８４の接続端子に供給されたデジタルＬ／Ｒオーディオ信号は、接続配線を通じて前記ＳＤＩＯホストコントローラＬＳＩ２１に与えられる。
該ＳＤＩＯホストコントローラＬＳＩ２１においては、前記メインプロセッサ部６０の制御により、該デジタルＬ／Ｒオーディオ信号を、前記メモリ６８の所定記録領域に一時的に保存する。この後、該メモリ６８に一時記録されたデジタルＬ／Ｒオーディオ信号は、前記メインプロセッサ部６０の制御により、前記ＣＰＵバスインターフェース７３を介して、順次ＤＡＣ７４に与えられる。
なお、このとき、ユーザーが「録音」の指示設定を該携帯端末２０に与えていた場合には、前記ＣＰＵ７１はＤＡＣ７４への出力を指示せず、所定のフォーマットに変換して前記メモリ６８の所定のデータフォルダ領域へ転送する処理を行なう。
前記メモリ６８よりデータ転送を受けた前記ＤＡＣ７４では、所定の周波数（例えば、44.1kHz，48kHz，64kHzなど）及びビット数で（例えば、８ビット）でサンプリングされたＬとＲのオーディオ信号を、デジタル／アナログ変換して、アナログＬ／Ｒオーディオ信号に復号する。この後、該アナログＬ／Ｒオーディオ信号は、切替制御部８５に入力され、所定の信号レベルに増幅された後、予めユーザーが設定する出力方法の選択指示に応じて、ヘッドフォン８０またはスピーカ７０に出力される。
以上の動作により、ユーザーは、ＦＭ放送の聴取を該携帯端末２０により行なうことができる。
【００３６】
続いて、前述したＦＭチューナ内蔵のＳＤＩＯカード１０が、携帯端末２０に認知され、動作に至るまでの過程について説明する。
電源投入後、待機状態にある前記携帯端末２０に、ユーザーがＦＭチューナ内蔵のＳＤＩＯカード１０を挿入すると、携帯端末２０では、ＳＤＩＯカードに関する初期化処理が行われる。この初期化処理では、まず、前記ＦＭチューナ内蔵のＳＤＩＯカード１０の挿入により、前記ＳＤカードソケット８４内に設けてあるメカスイッチにより、カードの挿入が検知される。この検知は、ＳＤＩＯホストコントローラＬＳＩ２１で状態監視されており、この状態変化により挿入を検知した前記ＳＤＩＯホストコントローラＬＳＩ２１は、挿入されたことを示すステータス情報をメインプロセッサ部６０に通知するとともに、ＳＤＩＯカードコントローラＬＳＩ１３に対して、挿入を確認するための確認用のコマンドを発行する。
確認用のコマンドを受領したＳＤＩＯカードコントローラＬＳＩ１３は、確認用のコマンドを受領した旨のレスポンスを返答するとともに、携帯端末２０からの指示により＃１ピンに接続するインターフェース５６をハイインピーダンスに設定するなどのＦＭ放送受信のための初期化処理を行う。
【００３７】
ＳＤＩＯカードコントローラＬＳＩ１３からの確認用コマンドレスポンスを受けた携帯端末２０側のＳＤＩＯホストコントローラＬＳＩ２１は、挿入されたカードの種類の把握をするため、ＳＤＩＯカードコントローラＬＳＩ１３に対し、カードの機能が何であるかを問い合わせるコマンドを発行する。
このコマンドは、ＳＤＩＯカード１０からのレスポンスを待機しつつ順次問い合わせることができるコマンドであり、ＳＤＩＯカード１０側では、携帯端末２０側ＳＤＩＯホストコントローラＬＳＩ２１からの問い合わせに対して、合致する機能に関する問い合わせであるときのみ、返答コマンドを返す。すなわち、ホスト機器である前記携帯端末２０からＦＭチューナを内蔵しているか否かの問い合わせを受けたとき、該ＳＤＩＯカード１０ははじめてレスポンスを返答する。
これにより、携帯端末２０のＳＤＩＯホストコントローラＬＳＩ２１は挿入されたＳＤＩＯカード１０がＦＭチューナを内蔵しているものであることを認知して、初期化処理が完了する。
また、この認知とともに、携帯端末２０側のＳＤＩＯホストコントローラＬＳＩ２１は、ＣＰＵ７１の処理系をＦＭラジオの動作状態にする。
【００３８】
すなわち、前記メインプロセッサ部６０は、前記ＳＤＩＯカード１０からそのカードに関する基本情報を読み出して所定の領域に格納する。この情報には、動作クロックの速度、電圧電流値、ＬＳＩデバイスの種類、転送時のデータブロックサイズ、標準のチューニング設定といったＦＭラジオ固有の設定をはじめとする各種設定パラメータが含まれている。
次に、携帯端末２０は、ＦＭチューナ内蔵のＳＤＩＯカードに関する初期設定を行なう。この初期設定において、前記ＣＰＵ７１は、この設定パラメータに基づいて前記ＦＭチューナ内蔵ＳＤＩＯカード１０に備わる各デバイスの設定を行い、ＦＭチューナ内蔵ＳＤＩＯカード１０の設定を実行して、初期設定が完了する。また、同時に、前記ＦＭ放送受信用高周波スイッチ８３のオン制御などの携帯端末１０に備わる各機能部の動作設定を行う。
【００３９】
また、これとともに、ＦＭ放送聴取用のプログラムが起動され、前記表示部６３に該アプリケーションのＧＵＩが表示される。
ここで、該ＦＭ放送聴取用のプログラムは、前記携帯端末２０のメインプロセッサ部６０で駆動されるミドルウェアプログラムでも、ＪＡＶＡ(TM)プログラム・エンジン上で駆動されるＪＡＶＡ(TM)アプリケーション・プログラムであってもよい。また、該ＦＭ放送聴取用のプログラムを、前記ＳＤＩＯカード１０に内蔵されているフラッシュメモリ１４に格納するようにしてもよい。
前記ＧＵＩには、ユーザーが聴取可能な各ＦＭラジオ放送のチャンネルの一覧と、ユーザーが聴取選択したチャンネル表示、前記スピーカ７０又はヘッドフォン８０のいずれかで出力するかの選択表示、再生音量のレベル表示、録音指示及び録音コンテンツ再生などを表示するキーボタンが表示される。
ユーザーは、前記操作部６４のキー操作により、前記ＦＭ放送のチャンネル選択、コンテンツ出力方法の選択、再生音量調整、録音指示及び録音コンテンツ再生選択などを行うことができる。
ユーザーにより行われる前記操作部６４のキー操作に応じて、前記メインプロセッサ部６０から前記ＦＭチューナ部１１の同調制御部４３に所定の制御コマンドが与えられ、ユーザーが聴取をしたいＦＭ放送チャンネルの同調等がなされる。
【００４０】
前記動作設定により、前記ＦＭ放送受信用高周波スイッチ８３の動作状態がオンとなってＦＭ放送受信信号の前記ＦＭチューナ部１１への供給が開始され、ＡＤＣ１２からデジタルＬ／Ｒオーディオ信号がバッファ５３に与えられる。
また、前記カードの初期設定完了を受けて、前記メインプロセッサ部６０は、前記ＳＤＩＯカード１０のバッファ５３に一時記録されるオーディオデータの読み出し指示を行なうポーリング信号の発行を開始する。該ポーリング信号は、前記ＳＤＩＯカード１０の制御部５１に定期的に与えられる。
前記ＳＤＩＯカード１０においては、ＦＭチューナ部１１により復調され、ＡＤＣ１２によりデジタル化されたＬ／Ｒオーディオ信号が、バッファ５３に一時記録される。
その後、前記ポーリング信号の指示するタイミングにより、前記制御部５１は、前記バッファ５３のメモリエリアに記録されているデジタルＬ／Ｒオーディオ信号を、ＳＤＩＯバスを通じて所定の転送速度（例えば、２５Ｍｂｐｓ）で前記メモリ６８の一時記録領域へ転送する処理を行なう。この後、前記メインプロセッサ部６０の指示により、該メモリ６８から順次前記ＤＡＣ７４に該オーディオ信号の読み出し処理がなされる。
該ＤＡＣ７４においては、前述の通り、前記メモリ６８から与えられたデジタルＬ／Ｒオーディオ信号をデジタル／アナログ変換処理してアナログＬ／Ｒオーディオ信号に復号する。この後、該アナログＬ／Ｒオーディオ信号は、前記切替増幅部８５を介して前記ヘッドフォン８０またはスピーカ７０に与えられ、ユーザーは、所望するＦＭ放送を聴取することができる。
以下、前述の転送処理を順次繰り返して行なうことで、ヘッドフォン８０またはスピーカ７０から、途切れなくアナログＬ／Ｒオーディオ信号を出力することが可能となる。
【００４１】
以上のように、本発明の第一の実施の形態によれば、ＦＭチューナを内蔵したＳＤＩＯカードにおいては、通常のＳＤメモリカードと同一のサイズのＳＤＩＯカード中にＦＭチューナを構成することで、突出することなく携帯端末などのホスト機器に挿入ができるＳＤＩＯカードを実現することができる。ゆえに、ホスト機器である携帯端末の使い勝手を損なうことがない。
また、ＦＭ放送信号受信部及びオーディオ再生部を有した携帯端末（ホスト機器）においては、電話機能部分の一部の構成を兼用することにより、無駄な回路構成を付加する必要がなく、消費電力の浪費を招くことがない。
さらに、本発明の実施の形態によれば、該ＦＭチューナ内蔵のＳＤＩＯカードを該ホスト機器である携帯端末に挿入することにより、ＦＭ放送受信装置を構成することができる。このように、ユーザーのニーズに合わせて該ホスト機器の機能に対応したＳＤＩＯカードを取捨選択することが可能となり、利便性が向上する。
【００４２】
なお、上記においては、＃８ピンにＬのデジタルオーディオ信号を、＃９ピンにＲのデジタルオーディオ信号を各々割り当てる場合について説明したが、ＡＤＣ１２の出力後バッファ５３に格納されているＬ信号とＲ信号を、ひとつの信号ラインを使って時分割で前記携帯端末２０に出力するようにしてもよい。この場合、前記ＳＤＩＯインターフェースの転送速度が最大で２５Ｍｂｐｓであることから、速度的に充分対応することができる。この方法によれば、＃８ピンまたは＃９ピンを空きピンとすることができ、この他の用途に割り当てることもできる。
【００４３】
ところで、上述の実施の形態において、受信したＦＭ放送のコンテンツを録音し、後に再生することができる。
前述のように、ＦＭ放送聴取用のプログラムにおいてユーザーが「録音」を指示したときには、携帯端末２０における前記メモリ６８に設けてある所定のデータフォルダ領域にＦＭ放送コンテンツが記憶される。このコンテンツをユーザーが聴取する場合には、前記操作部６４のキー操作によって、前記ＦＭ放送聴取用のプログラムを起動することで聴取できる。
【００４４】
以下、録音したＦＭ放送のコンテンツの再生動作について説明する。
前記ユーザーのキー操作により、前記ＦＭ放送聴取のプログラムが起動された後、ユーザーが録音コンテンツ再生を選択すると、前記ＧＵＩの画面表示が、ＦＭ放送聴取画面から、録音コンテンツ再生画面に推移する。
該録音コンテンツ再生画面では、前記メモリ６８の所定のデータフォルダ領域に記録された各ＦＭ放送番組コンテンツの一覧が表示されており、ユーザーは、聴取を希望する番組コンテンツを前記操作部６４のキー操作により選択し、その再生を実行する。
前記ユーザーのキー操作により、前記再生実行がなされると、前記携帯端末２０においては、前記メインプロセッサ部６０の制御により、前記メモリ６８に記録されている複数のＦＭ放送コンテンツから、ユーザー所望のＦＭ放送コンテンツが択一的に呼び出される。前記ＦＭ放送コンテンツは、前述の通り、デジタルＬ／Ｒオーディオ信号であり、前記ＦＭ放送再生プログラムで再生可能な属性（例えば、mmfファイルなど）を有するファイルに変換されている。
なお、前記変換の際、メモリ６８のリソースを確保するため、所定のデータ圧縮が行われていてもよい。
【００４５】
前記ＦＭ放送コンテンツの呼出し後、呼び出されたオーディオ信号は、メインプロセッサ部６０の音声制御部領域で所定のデータ変換処理を受けた後、前記音源ＬＳＩ６９のインターフェース７６を介して前記シンセサイザ７７に与えられる。この後、前記シンセサイザ７７で所定のエフェクトなどを付与された後、前記ＤＡＣ７８に与えられる。
該ＤＡＣ７８において、入力された前記デジタルＬ／Ｒオーディオ信号はデジタル／アナログ変換され、所望のアナログＬ／Ｒオーディオ信号に復号される。
この後、予めユーザーが設定する出力方法に応じて、前記オーディオミキサ７９を介して外部出力のスピーカ７０、又は前記切替制御部８５を経て前記ヘッドフォン８０に前記アナログＬ／Ｒオーディオ信号が出力される。このようにして、ユーザーは、録音しておいた所望のＦＭ放送コンテンツを再生し、聴取することができる。
このように、本発明の第一の実施の形態によれば、ユーザーがＦＭ放送を聴取する際、該放送コンテンツの録音を希望する場合に、該放送コンテンツを録音することができるとともに、後に、ユーザーが再度聴取を希望する場合に、適宜ＦＭ放送を聴取することができ、便利である。
【００４６】
なお、前述した本発明の第一の実施の形態において、ＦＭ放送を即時に聴取する際に、前記ＡＤＣ１２でデジタル化されたオーディオ信号を前記ＤＡＣ７４でアナログに復号して出力する手順により出力を得る旨で説明したが、前述の録音・再生動作を利用することにより、ＦＭ放送を即時聴取することもできる。
この場合、前記メモリ６８より前記デジタルＬ／Ｒオーディオ信号を書き出す際、前記音源ＬＳＩ６９のインターフェース７６に入力し、該音源ＬＳＩ６９で所定の出力処理を経ることで、聴取することができる。この場合は、該音源ＬＳＩ６９に設けてあるシンセサイザ７７により、出力しようとするＦＭ放送のオーディオ信号に所望のエフェクトを付与することができ、より多彩な音色効果を伴ったＦＭ放送の聴取ができる。
【００４７】
前述の第一の実施の形態では、ＳＤＩＯカード１０からデジタル信号に変換されたＬ／Ｒオーディオ信号を、携帯端末２０に出力するようにしていた。続いて、以下では、本発明の第二の実施の形態について説明をする。本発明の第二の実施の形態では、ＳＤＩＯカード１０のＦＭチューナ部１１から出力されるアナログＬ／Ｒオーディオ信号を、Ａ／Ｄ変換することなく、アナログ信号のまま携帯端末２０に供給する。
【００４８】
まず、本発明の第二の実施の形態における構成について、図６を参照し説明する。
図６は、本発明の第二の実施の形態の概略構成を示す概念図であり、ＦＭチューナ内蔵ＳＤＩＯカード１０及び該ＳＤＩＯカードのホスト機器である携帯端末２０を示している。
この図において、ＦＭチューナ部１１、ＳＤＩＯカードコントローラＬＳＩ１３、ＳＤＩＯホストコントローラＬＳＩ２１、及びオーディオ回路２３は、前述の第一の実施の形態と同様のものである。ここで、本発明の第二の実施の形態においては、ＳＤＩＯカード１０内にＡＤＣ１２を設けておらず、また、携帯端末２０側にもＤＡＣ２２を設けていない。
すなわち、この実施の形態においては、前記ＳＤＩＯカード１０の＃８ピン３８を用いてＬチャンネルのアナログオーディオ信号を、＃９ピン３９を用いてＲチャンネルのアナログオーディオ信号を、それぞれ前記ＳＤＩＯカード１０から前記携帯端末２０に伝送するようにしており、該携帯端末２０においては、アナログＬ／Ｒオーディオ信号をオーディオ回路２３に直接入力するようにしている。
【００４９】
図７は、本実施の形態におけるＳＤＩＯカード１０の構成を示すブロック図である。この図と前記図３とを比較すると明らかなように、この実施の形態においては、ステレオデコード部４６からのアナログＬ／Ｒオーディオ信号を、直接＃８及び＃９ピンに与えている。
なお、ＦＭ放送受信号については、前述した第一の実施の形態と同様に、＃１ピンを介して携帯端末２０からＳＤＩＯカード１０に供給する。
【００５０】
続いて本発明の第二の実施の形態における移動端末２０の構成について、図８を参照し説明する。
図８は本発明の第二の実施の形態における移動端末２０の構成図である。この図において、前述の電話機能部分、及びＦＭ放送信号受信部については、本発明の第一の実施の形態と同様の作用をする。
ここで、本発明の第二の実施の形態では、前述の通りＤＡＣ７４を設けていない。
すなわち、図８と前記図５を比較すれば、第二の実施の形態では、前記ＳＤカードソケット８４と、前記ＳＤＩＯホストコントローラＬＳＩ２１とを接続するＳＤバスとともに、後述するアナログスイッチ９７、９８、及びアナログＬ／Ｒオーディオ信号を前記切替増幅部８５に直接入力するためのオーディオ配線８６を設けており、これらによりオーディオ再生部を構成している。
【００５１】
続いて、本発明の第二の実施の形態における動作について説明する。
前記携帯端末２０のＳＤカードソケット８４に、アナログＬ／Ｒオーディオ信号を出力する前記ＦＭチューナ内蔵ＳＤＩＯカード１０を挿入すると、該ＦＭチューナ内蔵ＳＤＩＯカード１０は、前述の第一の実施の形態と同様に、ＦＭ放送の復調動作を行った後、得られたＬ／Ｒオーディオ信号をデジタル化することなく、前記ＳＤカードソケット８４にアナログのＬ／Ｒオーディオ信号を入力する。
この後、該アナログＬ／Ｒオーディオ信号は、前記ＳＤカードソケット８４と、前記ＳＤＩＯホストコントローラＬＳＩ２１を接続するバス配線から分岐し、前記アナログスイッチ９７、９８及びオーディオ配線８６を介して前記切替増幅部８５に入力される。
この後、前記アナログＬ／Ｒオーディオ信号は、前記第一の実施の形態同様の動作を経て、前記スピーカ７０またはヘッドフォン８０に出力され、これによりユーザーは、所望のＦＭ放送を聴取することができる。
【００５２】
ところで、本発明の第二の実施の形態によれば、前記アナログオーディオ信号の疎通を、ＳＤバスのようなデジタルバスを利用して実現している。
以下、デジタルバスを利用してアナログ信号を疎通するための、構成及び動作について説明する。
まず、本発明の第二の実施の形態における要部構成について、図９の要部構成図を参照し説明する。
図９は、前記ＳＤＩＯカード１０の＃８ピン３８及び＃９ピン３９と、前記携帯端末２０における、前記カードの各ピンに対応する部分のみを示す回路図である。
この図において、９１は前記携帯端末２０に設けられたＳＤカードソケット８４の＃８ピン３８に対応する接点，９２は＃９ピン３９に対応する接点である。
また、９３は前記接点９１に接続されたデータ入力用トライステートバッファ、９４は前記接点９１に接続されたデータ出力用トライステートバッファ、９５は前記接点９２に接続されたデータ入力用トライステートバッファ、９６は前記接点９２に接続されたデータ出力用トライステートバッファであり、これらは前記ＳＤＩＯホストコントローラＬＳＩ２１における各接点に対応して設けられたデータ入出力回路の一部である。
また、９７及び９８は前記アナログオーディオ信号の出力をオン／オフする、アナログスイッチである。前記アナログスイッチ９７は、前記接点９１に接続され、選択信号ＳＥＬにより導通が制御される。また、前記アナログスイッチ９８は前記接点９２に接続され、前記選択信号ＳＥＬにより導通が制御される。これらアナログスイッチ９７，９８の出力は、前述の通り、前記オーディオ配線８６を介して切替増幅部８５に接続している。
【００５３】
続いて本発明の第二の実施の形態における要部構成の動作を説明する。
前記ＳＤカードソケット８４に、この実施の形態のＳＤＩＯカード１０を挿入すると、前記携帯端末２０では、前記カードが挿入されたことを前記携帯端末２０のＳＤＩＯホストコントローラＬＳＩ２１が認知する。この認知とともに、該ＳＤＩＯホストコントローラＬＳＩ２１はメインプロセッサ部６０に対して認知の旨の通知をするとともに、前記ＳＤＩＯカード１０のＳＤＩＯカードコントローラＬＳＩ１３に対して確認用コマンドを発行する。
該確認用コマンドを受領したＳＤＩＯカードコントローラＬＳＩ１３は、受領した旨の通知を前記携帯端末２０のＳＤＩＯホストコントローラＬＳＩ２１に返答するとともに、該携帯端末２０のメインプロセッサ部６０の指示を受け、ＦＭ放送受信のための初期化処理に入る。
続いて、前記携帯端末２０のＳＤＩＯホストコントローラＬＳＩ２１は、ＳＤＩＯカード側コントローラ１３に対してカード機能問い合わせコマンドの発行を順次行う。
このとき、問い合わせられた内容がＦＭチューナ内蔵に関するものであったとき、前記ＳＤＩＯカード側のコントローラ１３はレスポンスを前記携帯端末２０のＳＤＩＯホストコントローラＬＳＩ２１に返す。これにより、該携帯端末２０のＳＤＩＯホストコントローラＬＳＩ２１は、挿入されたＳＤＩＯカードがＦＭチューナを内蔵するものであることを認知する。
この認知とともに、携帯端末２０のＳＤＩＯホストコントローラＬＳＩ２１は、ＣＰＵの処理系をＦＭラジオの動作状態にする。
すなわち、前述と同様に、前記メインプロセッサ部６０は、前記ＦＭチューナ内蔵ＳＤＩＯカード１０から該カードに関する固有の設定パラメータを読み出し、前記ＣＰＵ７１は、該設定パラメータを参照しつつ、ＦＭチューナ内蔵のＳＤＩＯカード１０に備わる各デバイスの設定を行い、該ＳＤＩＯカードの初期設定が完了する。
そして、これとともに、前述のＦＭ放送聴取プログラムが起動される。
【００５４】
これと同時に、前記メインプロセッサ部６０の動作設定が行われ、アナログＬ／Ｒオーディオ信号の疎通を行おうとするＳＤＩＯバスインターフェースの接点９１、９２に接続される、トライステートバッファ９３、９４、９５、９６がハイインピーダンス状態に設定される。これとともに、前記アナログスイッチ９７、９８も、制御信号ＳＥＬにより動作状態がオンとされる。なお、前記インプット側トライステートバッファ９３、９５は通常のトライステートバッファではなく、トライステートバッファとプルアップ抵抗と２端子のノンインバーティングバッファで構成されるマクロセル（複合回路素子）である。従って、仮に９３がハイインピーダンス状態となっても、当該マクロセルによって保護されるため、Ｄin以後の後段内部回路は悪影響を及ぼされない。
よって前記トライステートバッファのハイインピーダンス設定と、アナログスイッチのオン状態により、オーディオ信号帯域におけるインピーダンス特性が、アナログスイッチ＜トライステートバッファとなり、前記アナログＬ／Ｒオーディオ信号は、前記ＳＩＤＯコントローラ２１に与えられることなく、前記アナログスイッチ９７、９８へ導通され、配線８６を介して、前記切替増幅部８５に与えられることとなる。
このようにして、ユーザーは、前記ヘッドフォン８０またはスピーカ７０で、ユーザー所望のＦＭ放送を聴取することができる。
【００５５】
前述のように、本発明の第二の実施の形態によれば、ＦＭチューナ内蔵のＳＤＩＯカード１０のステレオデコード部４６から出力されたＬ／Ｒチャンネルのオーディオ信号を、アナログ信号のまま、デジタルバスであるＳＤバスを介して、該ＳＤＩＯカードのホスト機器である携帯端末２０に入力することができる。
この本発明の第二の実施の形態によれば、デジタルバスをアナログの伝送に利用できるようにしているため、前述のＳＤＩＯカード規格を充足しつつ、アナログ伝送を実現しており、前記ＳＤＩＯカード規格が目的とする、汎用性を損なうことがない。
また、本発明の第二の実施の形態によれば、アナログオーディオ信号をＤ／Ａ、及びＡ／Ｄ変換する必要がないため、回路構成及び制御を簡略化することができる。また、前述の第一の実施の形態と同様に、無駄なオーディオ回路を付加することなく構成できるので、消費電力の浪費を招くこともない。
【００５６】
なお、本発明の第二の実施の形態では、前述の第一の実施の形態と同様に、受信したＦＭ放送のコンテンツを録音することもできる。この場合は、前記携帯端末２０にＡ／Ｄ変換器（ＡＤＣ）を設けて、該ＡＤＣに前記アナログスイッチ９７、９８の出力を供給し、該ＡＤＣの出力を、前記メモリ６８に記憶すればよい。
また、この構成によれば、ＡＤＣの出力を前記音源ＬＳＩ６９に供給することもでき、該音源ＬＳＩ６９を用いてイコライザ調整等の処理を行って出力することもできる。
【００５７】
さらにまた、本発明の第二の実施の形態によれば、デジタルバスを利用してアナログ信号の伝送を実現する構成を説明している。該アナログ信号はオーディオ信号やＦＭ放送受信信号に限られることなく、他のアナログ信号を伝送する場合にも適用することができる。
【００５８】
なお、本発明の第二の実施の形態において、デジタルバスからアナログ信号を取り出す際に、ＳＤＩＯホストコントローラＬＳＩ２１のトライステートバッファ９３，９４，９５，９６の入出力インピーダンスの設定をハイインピーダンスに設定することにより、該アナログ信号がＳＤＩＯホストコントローラＬＳＩ２１に与えられないことを説明したが、本構成を前記ＳＤＩＯカード１０側のＳＤＩＯカードコントローラＬＳＩ１３に適用しても良い。
この場合においては、前記ＳＤＩＯカード１０の初期化処理時に、前記ＳＤＩＯ側インターフェース５２内に備わるトライステートバッファの入出力インピーダンスの設定を、個別にポートをハイインピーダンス設定するようにする。
例えば、本発明の実施の形態では、＃１ピンにＦＭ高周波信号を、＃８，＃９ピンにオーディオ信号を疎通するようにしているので、これらアナログ信号が重畳される＃１、＃８、＃９ピンに接続されるＳＤＩＯインターフェースのポート５６、５７及び５８をハイインピーダンス設定するようにすればよい。
さらに、＃８、＃９ピンと、前記ステレオデコード部４６の間に、アナログスイッチを備えてもよい。そして、前述のトライステートバッファのハイインピーダンス設定とともに該アナログスイッチのオン動作を実行する。これにより、デジタル信号とアナログ信号の分離効果をさらに高めることができる。
また、前記トライステートバッファのインピーダンス設定及び前記アナログスイッチの動作制御については、前記携帯端末２０のメインプロセッサ部６０に実行させるようにしてもよいし、前記ＳＤＩＯカード１０の制御部５１に実行させるようにしてもよい。
【００５９】
以上の通り、本発明の第一、第二の実施の形態のいずれにおいても、ＳＤＩＯカードのホスト機器である携帯端末において、挿入するＳＤＩＯカードが突出することなくＦＭ放送受信装置を構成することができ、ユーザーに対しては利便性を損なうことなく、また、回路設計上においては無駄な回路構成を伴うことなく、さらには消費電力の浪費を招くことなく、ＦＭラジオが搭載された携帯端末を提供することができる。
【００６０】
なお、上述した各実施の形態においては、ＦＭチューナを内蔵したＳＤＩＯカード１０がソケット８４に挿入されたことを検知し、カードの種別がＦＭチューナ内蔵カードであることを判別したときに、自動的に、携帯端末２０をＦＭラジオの動作状態として、ＳＤＩＯカード１０の初期設定（ＦＭラジオ固有の設定をはじめとする各種設定パラメータの設定）、携帯端末２０に備わる各機能部の動作設定（ＦＭ放送受信用高周波スイッチ83のオン制御など）、及び、ＦＭ放送聴取用のプログラムの起動を実行するようにしていたが、これに限られることはない。例えば、ＳＤＩＯカード１０がソケット８４に挿入されたことを検知したときには該ＳＤＩＯカード１０からそれに固有の設定パラメータを読み出すのみとし、ユーザー操作等によりＦＭ放送聴取用プログラムが起動されたときに、ＳＤＩＯカード１０の初期設定と前記携帯端末２０に備わる各機能部の動作設定を行うようにしてもよい。
【００６１】
また、上記の説明では、＃１ピンにＦＭ放送受信信号（アンテナ信号）、＃８ピンにＬチャンネルのオーディオ信号、＃９ピンにＲチャンネルのオーディオ信号を割り当てていたが、これに限られることはなく、これらを入れ換えたり、異なる割り当て方法を採用したりしてもよい。
さらにまた、本発明は、ＳＤカードに限らず、ＭＭＣカードや他のカード型記録媒体にも同様に適用することができる。
【００６２】
なお、本発明の説明においては、携帯端末の一例として携帯電話を取り説明したが、近年では、デジタルカメラ等においてもオーディオ回路を有したものが存在しており、これらオーディオ回路を有した機器に、前述のＦＭ放送信号受信部を備えることで、本発明と同様なＦＭ放送受信装置を構成することができる。
【図面の簡単な説明】
【００６３】
【図１】本発明の第一の実施の形態におけるＦＭチューナを内蔵したＳＤＩＯカードと、該カードが挿入される携帯端末の概略構成を示す概念図である。
【図２】本発明のＳＤＩＯカード１０の概略機構図である。
【図３】本発明の第一の実施の形態におけるＳＤＩＯカード１０の構成を示すブロック図である。
【図４】ＳＤＩＯインターフェース規格に基づくピン配置と、本発明のＳＤバス・ピンアサインを示す図表である。
【図５】本発明の第一の実施の形態におけるホスト機器（携帯端末２０）の概略構成を示すブロック図である。
【図６】本発明の第二の実施の形態におけるＦＭチューナを内蔵したＳＤＩＯカードと、該カードが挿入される携帯端末の概略構成を示す概念図である。
【図７】本発明の第二の実施の形態におけるＳＤＩＯカード１０の構成を示すブロック図である。
【図８】本発明の第二の実施の形態におけるホスト機器（携帯端末２０）の概略構成を示すブロック図である。
【図９】図８に示した第二の実施の形態における要部構成を示す回路図である。
【図１０】ＳＤメモリカードスロットを設けた携帯電話の外観を示す図である。
【符号の説明】
【００６４】
１０：ＳＤＩＯカード、１１：ＦＭチューナ部、１２：ＡＤＣ、１３：ＳＤＩＯカードコントローラＬＳＩ、１４：フラッシュメモリ、２０：ホスト機器（携帯端末）、２１；ＳＤＩＯホストコントローラＬＳＩ、２２：ＤＡＣ、２３：オーディオ回路、２４：ヘッドフォンジャック、２５：ヘッドフォン、２６：配線、３１〜３９：ピン、４１：ＲＦ増幅部、４２：周波数変換部、４３：同調制御部、４４：ＩＦ増幅部、４５：ＦＭ復調部、４６：ステレオデコード部、４７：インターフェース部、４８：バンドパスフィルタ、５１：制御部、５２：ＳＤＩＯインターフェース、５３：バッファ、５４：メモリインターフェース、５５：ＦＭチューナインターフェース、５６，５７，５８：アナログ信号が疎通されるインターフェース、６０：メインプロセッサ部、６１：アンテナ、６２：無線送受信部、６３：表示部、６４：操作部、６５：通話用レシーバ、６６：通話用マイク、６８：メモリ、６９：音源ＬＳＩ、７０：スピーカ、７１：ＣＰＵ、７２：ＤＳＰ、７３：ＣＰＵバスインターフェース、７４：ＤＡＣ、７５：ワークメモリ、７６：音源ＬＳＩインターフェース、７７：シンセサイザ、７８：ＤＡＣ、７９：オーディオミキサ、８０：ヘッドフォン、８１：ヘッドフォンジャック、８２：バンドパスフィルタ、８３：、高周波スイッチ、８４：ＳＤカードソケット、８５：切替増幅部、８６：オーディオ配線、９１，９２：ＳＤカードソケットの接点、９３，９４，９５，９６：データ入出力用トライステートバッファ、９７，９８：アナログスイッチ
【図１】
2006025397.tif 000003
【図２】
2006025397.tif 000004
【図３】
2006025397.tif 000005
【図４】
2006025397.tif 000006
【図５】
2006025397.tif 000007
【図６】
2006025397.tif 000008
【図７】
2006025397.tif 000009
【図８】
2006025397.tif 000010
【図９】
2006025397.tif 000011
【図１０】
2006025397.tif 000012